(57)【特許請求の範囲】
【請求項１】
遊技の進行に必要な機能を有する複数種類の内部装置と、これらの内部装置に電力を供給する電源装置と、前記内部装置及び前記電源装置を収納するために、天面、底面、両方の側面、及び、背面の各々に配置される天板、底板、一対の側板、及び、背板を有した六面体の箱状に形成されるとともに、前面が開口された筐体とを備えた遊技機であって、
前記電源装置が設置される閉鎖された端部である固定位置、及び、前記電源装置が開放される開口された端部である開放位置の二位置間について前記電源装置を案内する案内部を備え、前記固定位置から前記開放位置までの間は、前記案内部から前記電源装置が離脱不可能とされ、前記開放位置を超えると前記電源装置が前記案内部から離脱可能となった移動案内手段と、
前記固定位置に位置する前記電源装置の近傍に配置されるとともに、前記固定位置に位置する前記電源装置の前記開放位置側に臨んだ部位に当接する当接部を有し、この当接部が当接することで前記電源装置が前記固定位置から前記開放位置に向かって移動するのを阻止する移動阻止手段とを備え、
前記移動阻止手段として、遊技媒体であるメダルを払い出す機能を有する内部装置であり、且つ、前記電源装置に隣接する位置に配置されているホッパユニットが採用され、
このホッパユニットは、前記電源装置に向かって略水平方向に突出する前記当接部としての突起部と、その底面の前記電源装置側の端縁から前記電源装置に近づく方向及びその反対側の端縁から前記電源装置から遠ざかる方向のそれぞれに向かって略水平に突出するホッパ係止鍔部とを備えたものとされ、
前記筐体の前記底板には、当該底板上における前記ホッパユニットの設置位置から前記筐体の開口側へ延びるとともに、前記ホッパユニットを摺動可能に支持する一対のホッパ案内レールが設けられ、
これら一対のホッパ案内レールは、前記ホッパユニットに設けられた前記ホッパ係止鍔部が内部に差し込めるように、開口が横向きとなった溝を有するとともに、互いの溝が対向するように設置されたものであり、
前記ホッパユニットは、その設置位置から前記ホッパ案内レールに沿って移動させ、前記筐体の開口側に位置する前記ホッパ案内レールの端部を超えると、前記筐体の外側に取り出すことが可能となるものであり、
前記電源装置は、前記ホッパユニットが当該電源装置に隣接する設置位置に配置されている状態では、前記ホッパユニットの前記突起部に押さえ込まれ、前記固定位置に固定されて移動不可能とされる一方、前記ホッパユニットが前記筐体の外側へ取り出されている状態では、前記固定位置からの移動が可能となり、前記移動案内手段の前記案内部に沿って移動されて前記移動案内手段の前記開放位置を超えると、前記案内部から離脱して前記筐体から取り外せるように形成されていることを特徴する遊技機。
【請求項２】
前記移動案内手段に設けられている前記案内部として、前記筐体の前記底板の表面から突出するとともに、前記電源装置の下端部の周囲を囲むように形成された側壁状の部位を有する凹状部が採用され、
前記移動案内手段は、前記凹状部の内部に前記電源装置の下端部を嵌合させるものであり、前記電源装置の底面が前記凹状部の底部に達している位置が前記固定位置とされ、前記電源装置の底面が前記凹状部の側壁頂部と同じ高さレベルとなっている位置が前記開放位置とされているものであり、
前記移動阻止手段は、前記電源装置が前記凹状部から抜けないように、前記当接部で前記電源装置を押さえ込むものであることを特徴とする請求項１記載の遊技機。
【発明の詳細な説明】
【技術分野】
【０００１】
本発明は、遊技の進行に必要な機能を有する複数種類の内部装置と、これらの内部装置に電力を供給する電源装置と、前記内部装置及び前記電源装置を収納するために、天面、底面、両方の側面、及び、背面の各々に配置される天板、底板、一対の側板、及び、背板を備えた六面体の箱状に形成されるとともに、前面が開口された筐体とを備えた遊技機に関する。
【背景技術】
【０００２】
従来から、スロットマシン等の遊技機は、箱状に形成された筐体の内部に、遊技の進行に必要な機能を有する複数種類の内部装置と、これらの内部装置に電力を供給する電源装置とが収納されたものとなっている。
このうち、筐体は、天面、底面、両方の側面、及び、背面の各々に配置される天板、底板、一対の側板、及び、背板を備えた六面体の箱状に形成されるとともに、前面が開口されたものが一般的である。
また、電源装置は、一定電圧を維持した状態で電力を安定供給することができるように、電力制御用のスイッチング素子等の能動素子で出力電圧を一定に保つ電源回路基板と、この電源回路基板を収納する板金製のボックスとを備えたものが一般的である。
【０００３】
このような遊技機は、筐体の内部空間を有効利用するために、筐体の一方の側板に沿わせた状態で電源装置が筐体に取り付けられる。
すなわち、電源装置のボックスの前面下端縁には、筐体の底板に沿って開口側へ水平に延びる鍔部が設けられている。また、ボックスの上面における一方の側縁には、当該電源装置が接する筐体の側板に沿って上方へ延びる鍔部が設けられている。そして、電源装置は、鍔部を貫通するネジで筐体にネジ止めされている。
このように、電源装置を筐体にネジ止めすれば、電源装置を筐体から容易に取り外すことができなくなるので、正規な電源装置を不正改造された電源装置に交換することが困難となり、不正行為の防止を図ることができる（例えば、特許文献１参照）。
【０００４】
なお、電源装置のボックスにおける筐体の開口側を向いた前面を透明な樹脂で形成すれば、透明な樹脂製の前面を通じて、電源装置のボックス内に収納された電源回路基板をボックスの外部から視認することができるので、正規な電源回路基板が不正改造された電源回路基板に交換された場合、不正改造された電源回路基板へ交換されたことを容易に発見でき、不正行為の見過ごしを防止することができる。
【先行技術文献】
【特許文献】
【０００５】
【特許文献１】特開２００７−３７５７６号公報
【発明の概要】
【発明が解決しようとする課題】
【０００６】
前述のような遊技機では、作動中、常に電力供給を行っている電源装置は、他の内部装置よりも多くの保守作業を行う必要があるので、筐体外部に取り出される機会も他の内部装置よりも多い。しかし、電源装置を筐体にネジ止めしているので、保守作業のたびに、ドライバー等の工具でネジを回転させる作業が必要となる。このため、電源装置を筐体に取り付ける手段としては、ネジ止めでなく、取り付け及び取り外しが容易なものが要望されている。
しかしながら、電源装置を筐体から容易に取り外せるようにすると、不正改造された電源装置への交換も容易となり、不正行為の防止が図れなくなるという問題が生じる。
【０００７】
そこで、各請求項にそれぞれ記載された各発明は、上記した従来の技術の有する問題点に鑑みてなされたものであり、その目的とするところは、電源装置の取り付け作業及び取り外し作業が容易に行えるようにしても、不正行為の防止が図れる遊技機を提供することである。
【課題を解決するための手段】
【０００８】
各請求項にそれぞれ記載された各発明は、前述の目的を達成するためになされたものである。以下に、各発明の特徴点を、図面に示した発明の実施の形態を用いて説明する。
なお、符号は、発明の実施の形態において用いた符号を示し、本発明の技術的範囲を限定するものではない。
【０００９】
（特徴点１）
特徴点１では、遊技の進行に必要な機能を有する複数種類の内部装置と、これらの内部装置に電力を供給する電源装置(９, 9C)と、前記内部装置及び前記電源装置(９,9C,9D)を収納するために、天面、底面、両方の側面、及び、背面の各々に配置される天板(41)、底板(42)、一対の側板(43)、及び、背板(44)を有した六面体の箱状に形成されるとともに、前面が開口された筐体(２)とを備えた遊技機(１)であって、前記電源装置(９,9C,9D)が設置される閉鎖された端部である固定位置、及び、前記電源装置(９,9C,9D)が開放される開口された端部である開放位置の二位置間について前記電源装置(９,9C,9D)を案内する案内部(33)を有し、前記固定位置から前記開放位置までの間は、前記案内部(33)から前記電源装置(９,9C,9D)が離脱不可能とされ、前記開放位置を超えると前記電源装置(９,9C,9D)が前記案内部(33)から離脱可能となった移動案内手段(31,31A,31B,36)と、前記固定位置に位置する前記電源装置(９,9C,9D)の近傍に配置されるとともに、前記固定位置に位置する前記電源装置(９,9C,9D)の前記開放位置側に臨んだ部位に当接する当接部(22,12,61,22A)を有し、この当接部(22,12,61,22A)が当接することで前記電源装置(９,9C,9D)が前記固定位置から前記開放位置に向かって移動するのを阻止する移動阻止手段(20,10,60)とを備え、前記移動阻止手段(20,10,60)は、少なくとも前記当接部(22,12,61,22A)が前記電源装置(９,9C,9D)の移動に干渉することのない前記電源装置(９,9C,9D)の通過領域の外側に移動可能に形成されているとともに、前記電源装置(９,9C,9D)に近接する一の内部装置で兼用され、前記電源装置(９,9C,9D)は、前記当接部(22,12,61,22A)が当接している状態では、前記移動案内手段(31,31A,31B,36)の前記固定位置に固定されて移動不可能にされる一方、前記当接部(22,12,61,22A)がその通過領域の外側に位置している状態では、前記固定位置からの移動が可能となり、前記移動案内手段(31,31A,31B,36)の前記案内部(33)に沿って移動されて前記移動案内手段(31,31A,31B,36)の前記開放位置を超えると、前記案内部(33)から離脱して前記筐体(２)から取り外せるように形成されていることを特徴する。
【００１０】
（特徴点２）
特徴点２では、前記移動案内手段(31,31A,31B)に設けられている前記案内部として、前記筐体(２)の前記底板(42)の表面から突出するとともに、前記電源装置(９, 9C)の下端部の周囲を囲むように形成された側壁状の部位を有する凹状部(33)が採用され、前記移動案内手段(31,31A,31B)は、前記凹状部(33)の内部に前記電源装置(９,
9C)の下端部を嵌合させるものであり、前記電源装置(９,
9C)の底面が前記凹状部(33)の底部に達している位置が前記固定位置とされ、前記電源装置(９, 9C)の底面が前記凹状部(33)の側壁頂部と同じ高さレベルとなっている位置が前記開放位置とされているものであり、前記移動阻止手段(20,10,60)は、前記電源装置(９,
9C)が前記凹状部(33)から抜けないように、前記当接部(22,12,61)で前記電源装置(９, 9C)を押さえ込むものであることを特徴とする。
【００１１】
（特徴点３）
特徴点３では、前記移動阻止手段として、遊技媒体であるメダルを払い出す機能を有する内部装置であり、且つ、前記電源装置(９)に隣接する位置に配置されているホッパユニット(20)が採用され、このホッパユニット(20)は、前記電源装置(９)に向かって略水平方向に突出する前記当接部としての突起部(22)と、その底面の前記電源装置(９)側の端縁から前記電源装置(９)に近づく方向及びその反対側の端縁から前記電源装置(９)から遠ざかる方向のそれぞれに向かって略水平に突出するホッパ係止鍔部(23, 24)とを備えたものとされ、前記筐体(２)の前記底板(42)には、当該底板(42)上における前記ホッパユニット(20)の設置位置から前記筐体(２)の開口側の端縁近傍まで延びるとともに、前記ホッパユニット(20)を摺動可能に支持する一対のホッパ案内レール(25, 26)が設けられ、これら一対のホッパ案内レール(25, 26)は、前記ホッパユニット(20)に設けられた前記ホッパ係止鍔部(23, 24)が内部に差し込めるように、開口が横向きとなった溝(27, 28)を有するとともに、互いの溝(27, 28)が対向するように設置されたものであり、前記ホッパユニット(20)は、その設置位置から前記ホッパ案内レール(25, 26)に沿って移動させ、前記筐体(２)の開口側に位置する前記ホッパ案内レール(25, 26)の端部を超えると、前記筐体(２)の外側に取り出すことが可能となるものであり、前記電源装置(９)は、前記ホッパユニット(20)が当該電源装置(９)に隣接する設置位置に配置されている状態では、前記ホッパユニット(20)の前記突起部(22)に押さえ込まれ、前記固定位置に固定されて移動不可能にされる一方、前記ホッパユニット(20)が前記筐体(２)の外側へ取り出されている状態では、前記固定位置からの移動が可能となり、前記凹状部(33)から抜け出て前記筐体(２)から取り外せるように形成されていることを特徴する。
【００１２】
（特徴点４）
特徴点４では、前記移動阻止手段として、それぞれが円筒状に形成されるとともに、それぞれの外周面に複数種類の図柄が記された複数の回転リール(11)を有し、且つ、前記電源装置(９)の上に重なるように近接して配置されるリールユニット(10)が採用され、前記筐体(２)の内部には、その内部空間を上下に仕切る中板(45)が設けられ、この中板(45)には、前記リールユニット(10)が載置されるとともに、前記電源装置(９)を上下に挿通させる挿通孔(46)が下方の前記凹状部(33)に応じて設けられ、前記リールユニット(10)には、下方に配置された前記電源装置(９)に向かって突出する突起部(12)が前記当接部として設けられ、前記リールユニット(10)は、前記中板(45)の上に載置されると、下方向へ突出した前記突起部(12)が前記電源装置(９)に当接するように形成され、前記電源装置(９)は、前記リールユニット(10)が当該電源装置(９)の上方の隣接した位置に配置されている状態では、前記リールユニット(10)の前記突起部(12)に当接され、これにより、前記固定位置に固定されて移動不可能にされる一方、前記リールユニット(10)が前記筐体(２)の外側へ取り出されている状態では、前記固定位置から上方への移動が可能となり、上方へ移動されて前記開放位置を超えると、前記凹状部(33)からから抜け出て前記筐体(２)から取り外せるように形成されていることを特徴する。
【００１３】
（特徴点５）
特徴点５では、前記移動阻止手段として、前記電源装置(9C)の上方に固定状態で設置されているとともに、遊技の難易度を設定するために所定のキー操作がなされる難易度設定装置(60)が採用され、この難易度設定装置(60)には、前記当接部として、所定のキー操作で回動可能な突起部(61)が設けられ、この突起部(61)の回動範囲は、前記固定位置に位置する前記電源装置(9C)の上部に当接する当接位置、及び、前記電源装置(9C)の通過領域の外側となる非当接位置の二位置間とされ、前記電源装置(9C)は、前記固定位置に位置しているとともに、前記難易度設定装置(60)の前記突起部(61)が当接している状態では、前記固定位置に固定されて移動不可能にされる一方、前記突起部(61)が非当接位置に配置されている状態では、前記固定位置からの移動が可能となり、前記凹状部(33)から抜け出て前記筐体(２)から取り外せるように形成されていることを特徴するものである。
【００１４】
（特徴点６）
特徴点６では、遊技の進行に必要な機能を有する複数種類の内部装置と、これらの内部装置に電力を供給する電源装置(9G)と、前記内部装置及び前記電源装置(9G)を収納するために、天面、底面、両方の側面、及び、背面の各々に配置される天板(41)、底板(42)、一対の側板(43)、及び、背板(44)を備えた六面体の箱状に形成されるとともに、前面が開口された筐体(２)とを備えた遊技機(１)であって、前記筐体(２)の外側の表面には、前記電源装置(9G)を内部に収納する凹部(72)が設けられ、前記電源装置(9G)は、前記凹部(72)の内部に収納された状態で当該遊技機(１)が遊技場の島設備(70)に設置されると、当該遊技機(１)から取り外し不可能となるように形成されていることを特徴とする。
【発明の効果】
【００１５】
（特徴点１の効果）
特徴点１によれば、固定位置及び開放位置の二位置間について電源装置を案内する案内部を設け、開放位置を超えると電源装置が案内部から離脱可能となるようにし、さらに、電源装置に近接する一の内部装置に当接部を設け、当接部が電源装置に当接している状態では、当接部によって電源装置が固定位置から開放位置に移動することができなくなるようにしたので、電源装置のみを移動することでは、電源装置を筐体から取り外すことができない。従って、固定位置に配置した電源装置に内部装置の当接部を当接させることで、電源装置を筐体の所定位置に固定することができ、ネジ等の接合具を利用しなくても、電源装置の固定が行え、これにより、電源装置の取り付け作業を容易にすることができる。
内部装置に設けられた当接部は、電源装置に当接する位置から電源装置の移動に干渉することのない位置、換言すれば、電源装置の通過領域の外側の位置まで移動可能となっているので、当接部を電源装置の通過領域の外側に移動させれば、電源装置は案内部に沿って移動可能となる。そして、案内部の具体的な構造として、当接部が干渉しない状態では、固定位置から開放位置を超えた位置まで電源装置の移動が容易に行えるものを採用すれば、当接部を通過領域の外へ移動した後には、電源装置を案内部から容易に開放でき、ひいては、電源装置を筐体から容易に取り外すことができ、これにより、電源装置の取り外し作業を容易にすることができる。
ここで、当接部が設けられる内部装置として、筐体から取り外すことが目立つとともに、遊技者の取り外しが誰からも不審に思われる大型装置（例えば、ホッパユニット又はリールユニット等）を採用すれば、遊技場の係員がそのような内部装置を筐体から取り外しても、何ら不審な点はなく、内部装置を筐体から取り外せば、当接部が電源装置の通過領域の外側に移動されるので、電源装置は、容易に筐体から取り外せる。一方、遊技者が前述のような内部装置を筐体から取り外そうとしても、この行為は目立つので、内部装置を筐体から取り外すまでに至る可能性は小さく、電源装置を筐体から取り外す可能性も小さくなり、これにより、不正行為の防止が図れる。万が一、内部装置を筐体から取り外す不正行為を遊技者が開始すれば、当該不正行為は目立つので、遊技場の係員によって直ちに発見され、発見後、速やかに係員を現場に到着させることにより、当該不正行為が完遂するのを防止することができ、この点から、不正行為の防止を図ることができる。
また、当接部が設けられる内部装置として、所定のキーを用いて操作しなければ当接部を移動できないものを採用すれば、当該キーで操作すれば当接部を容易に移動でき、従って、電源装置も容易に筐体から取り外せる一方、所定のキーがなければ、当接部の移動が不可能となり、電源装置を筐体から取り外すことができず、この点から、不正行為の防止を図ることができる。
以上のように、係員による適正な操作では、筐体から電源装置を容易に取り外すことができるとともに、電源装置を筐体に取り付けることができ、係員以外の不適正な操作では、筐体から電源装置を取り外すことできなくなるので、電源装置の取り付け作業及び取り外し作業を容易に行えるようにしても、不正行為の防止を図ることができ、これにより、前記目的が達成される。
【００１６】
（特徴点２の効果）
特徴点２によれば、電源装置の下端部を嵌合させる凹状部を案内部として採用したので、電源装置の平面形状に応じた環状の立ち上がり部を筐体の底板に立設することで、筐体の底板に凹状部を容易に形成することができる。そのうえ、上方から電源装置を凹状部の内部に差し込むとともに、電源装置の底面を凹状部の底部に到達させれば、電源装置は、それ以上下方へ移動できなくなるとともに、水平方向に移動することもできなくなる一方、電源装置を上方へ移動して凹状部から電源装置を引き抜けば、電源装置が凹状部から開放されるので、電源装置の下端部と嵌合する簡単な構造の凹状部のみで案内部を構成することができる。
ここで、その底面が凹状部の底部に到達した位置を電源装置の固定位置とし、この固定位置に配置された電源装置が凹状部から抜けないように、電源装置を押さえ込むものを当接部とすることができるので、電源装置に近接する一の内部装置で移動阻止手段を兼用するにあたり、当該内部装置に電源装置を押さえ込む当接部を設けるだけで、当該内部装置に移動阻止手段を兼用させることができ、従って、当該内部装置の改造が必要最低限で済み、内部装置による移動阻止手段の兼用を容易に実現できる。
【００１７】
（特徴点３の効果）
特徴点３によれば、移動阻止手段として、筐体の底板の上に電源装置と並設可能なホッパユニットを採用し、且つ、互いに向き合うように開口された溝を有する一対のホッパ案内レールを筐体の底板に敷設し、これらのホッパ案内レールの溝の内部にホッパユニットのホッパ係止鍔部を係止させて、ホッパ案内レールに沿ってホッパユニットを摺動させるようにしたので、筐体に設置されたホッパユニットは、ホッパ案内レールに沿って水平方向に移動可能となるが、上下方向への移動は不可能となる。
また、ホッパユニットに突起部を設けるにあたり、電源装置の上面に応じた高さレベルに突起部を設ければ、ホッパユニットを水平移動させて電源装置の隣りに配置することで、ホッパユニットの突起部が電源装置の直上に配置され、これにより、突起部が電源装置の上面を押さえ込むので、電源装置を凹状部から抜き取ることができなくなる。
従って、電源装置を筐体内の凹状部に嵌合した後、ホッパユニットを筐体内の所定位置に配置するだけで、電源装置が筐体に固定されるようになるので、電源装置を筐体に固定するにあたり、ネジ止め等の面倒な作業が不要となり、電源装置の取り付け作業が容易に行えるようになる。
一方、電源装置に隣接するホッパユニットを電源装置から離れる方向へ水平移動させることで、ホッパユニットを筐体の外部へ取り出すことができ、ホッパユニットを筐体の外部へ取り出せば、ホッパユニットの突起部が電源装置の上面から離れて、電源装置の上面が開放されるので、電源装置を凹状部から抜き取ることができる。換言すれば、ホッパユニットを筐体から取り出せば、電源装置を筐体から容易に取り外すことができ、従って、前述したように、電源装置の取り付け作業だけでなく、取り外し作業も容易にすることができる。
ここで、ホッパユニットを筐体から取り外す行為は目立つが、遊技場の係員がホッパユニットを筐体から取り外しても、何ら不審な点はない一方、遊技者がホッパユニットを取り外せば、誰が見ても不審に思うこととなる。
このため、係員以外の者が、電源装置を取り外すために、ホッパユニットを筐体から取り外そうとすると、ホッパユニットを筐体から取り外す行為は目立つので、遊技場を監視している係員によって直ちに発見されるので、電源装置が筐体から取り外される前に、係員を現場に向かわせることができ、これにより、不正改造された電源装置に交換する等の不正行為を防止することができる。
【００１８】
（特徴点４の効果）
特徴点４によれば、移動阻止手段として、筐体の中板の上に載置されるとともに、電源装置の上方に配置されるリールユニットを採用し、且つ、筐体の中板に電源装置を上下に挿通させる挿通孔を設け、上方から挿通孔の内部に挿通させた電源装置を下方の凹状部に嵌合させるようにし、さらに、中板の上にリールユニットを載置すると電源装置に当接する突起部を当該リールユニットに設けたので、中板の挿通孔を通じて電源装置を筐体内の凹状部に嵌合した後、リールユニットを中板の上に固定すると、リールユニットに設けられた突起部が電源装置の上面に当接して、当該電源装置を上から押さえ込み、凹状部から抜き取ることができなくなり、従って、電源装置が筐体に固定されることとなる。
一方、リールユニットを中板から取り外して筐体の外部へ取り出せば、リールユニットの突起部が電源装置の上面から離れて、電源装置の上面が開放されるので、電源装置を凹状部から抜き取ることができる。換言すれば、リールユニットを筐体から取り出せば、電源装置を筐体から容易に取り外すことができ、従って、前述したように、電源装置の取り付け作業だけでなく、取り外し作業も容易にすることができる。
ここで、リールユニットを筐体から取り外す行為は目立つが、遊技場の係員がリールユニットを筐体から取り外しても、何ら不審な点はない一方、遊技者がリールユニットを取り外せば、誰が見ても不審に思うこととなる。
このため、係員以外の者が、電源装置を取り外すために、リールユニットを筐体から取り外そうとすると、リールユニットを筐体から取り外す行為は目立つので、遊技場を監視している係員によって直ちに発見されるので、電源装置が筐体から取り外される前に、係員を現場に向かわせることができ、これにより、不正改造された電源装置に交換する等の不正行為を防止することができる。
【００１９】
（特徴点５の効果）
特徴点５によれば、移動阻止手段として、遊技の難易度を設定するために所定のキー操作がなされる難易度設定装置を採用し、この難易度設定装置を電源装置の上方に固定状態で設置し、且つ、この難易度設定装置に所定のキー操作で回動可能な突起部を設け、さらに、この突起部の回動範囲として、固定位置に位置する電源装置の上部に当接する当接位置、及び、電源装置の通過領域の外側となる非当接位置の二位置間を設定したので、電源装置を凹状部の内部に嵌め込んだ後、難易度設定装置の所定のキー操作を行い、非当接位置から当接位置へ回動させることで、難易度設定装置の突起部を電源装置の上面に当接させると、電源装置が上方から押さえ込まれて固定位置に固定される。従って、電源装置を固定する際に、ネジ止め等の面倒な作業が不要となり、これにより、電源装置の取り付け作業が容易に行えるようになる。
一方、難易度設定装置に対して所定のキー操作を行い、難易度設定装置の突起部を当接位置から非当接位置へ回動させると、突起部が電源装置の上面から離れて、電源装置の上面が開放されるので、電源装置を凹状部から抜き取ることができ、要するに、難易度設定装置のキー操作で、電源装置を筐体から容易に取り外せるようになり、電源装置は、取り付け作業だけでなく、取り外し作業も容易に行うことができる。
ここで、難易度設定装置のキー操作は、所定のキーがなければ行えないので、係員以外の者が、電源装置を取り外すことはできず、これにより、不正改造された電源装置に交換する等の不正行為を防止することができる。
【００２０】
（特徴点６の効果）
特徴点６によれば、筐体の外側の表面に形成した凹部に電源装置を収納し、この状態で当該遊技機を遊技場の島設備に設置すると、電源装置が当該遊技機から取り外し不可能となるように形成したので、筐体の側面あるいは背面に凹部を形成しておけば、遊技場の島設備から取り外された状態の遊技機に電源装置を容易に取り付けることができ、且つ、その及び取り外しも容易に行え、従って、電源装置の取り付け作業及び取り外し作業を容易にすることができる。
ここで、遊技機を島設備から取り外す行為は目立つが、遊技場の係員が行う場合は何ら不審な点はない一方、遊技者が行えば、誰が見ても不審に思うこととなる。
このため、係員以外の者が、電源装置を取り外すために、遊技機を島設備から取り外そうとする行為は目立つので、遊技場を監視している係員によって直ちに発見されるので、電源装置が筐体から取り外される前に、係員を現場に向かわせることができ、これにより、不正改造された電源装置に交換する等の不正行為を防止することができる。
【図面の簡単な説明】
【００２１】
【図１】本発明の第１実施形態の全体を示す正面図である。
【図２】前記実施形態に係る筐体内部を示す正面図である。
【図３】前記実施形態に係る電源装置及びソケット（凹状部）を示す斜視図である。
【図４】前記実施形態に係る電源装置及びホッパユニットを示す正面図である。
【図５】前記実施形態に係る電源装置の正面、側面及び背面を示す三面図である。
【図６】前記実施形態に係る電源装置を示す分解斜視図である。
【図７】本発明の第２実施形態の要部を示す正面図である。
【図８】本発明の第３実施形態の要部を示す正面図である。
【図９】前記第３実施形態に係る不正判定処理を説明するフローチャートである。
【図１０】本発明の変形例を示す正面図である。
【図１１】本発明の更に異なる変形例を示す斜視図である。
【発明を実施するための形態】
【００２２】
以下に、本発明を実施するための形態である実施形態について、図面を参照しながら説明する。
［第１実施形態］
（スロットマシン１の概要）
図１には、本発明の第１実施形態に係る遊技機としてのスロットマシン１が示されている。図１において、スロットマシン１は、三個の回転リール11の各々に記された複数種類の図柄が所定の組合せとなるように、回転している回転リール11を停止させる遊技を行うものである。このスロットマシン１には、図１に示すように、当該スロットマシン１の各種装置を収納するとともに、正面形状が長方形となった筐体２が備えられている。
筐体２は、前面全体が開口された箱状の部材である。そして、筐体２の前面開口は、当該筐体２に回動可能に取り付けられた前扉３で塞がれるようになっている。なお、前扉３は、閉じられると、自動的に施錠されるようになっている。
【００２３】
前扉３は、その前面をほぼ二分する上部パネル部４及び下部パネル部５を備えたものとなっている。そして、下部パネル部５の下方には、入賞時に払い出されるメダルを貯留する受皿部6Aが一体成形された受皿ユニット６が設けられている。また、また、上部パネル部４と下部パネル部５との間には、遊技に係る操作を行うための操作卓７が遊技者側に突出するように形成されている。
ここで、上部パネル部４及び下部パネル部５は、意匠的に優れた外観を確保するために、合成樹脂製の化粧板が表面に張り付けられたものとなっている。
【００２４】
（上部パネル部４）
上部パネル部４には、図１中、操作卓７の上方且つ幅方向の中央部分において長方形状に形成された表示窓4Aが設けられている。
ここで、筐体２内部に設けられた三個の回転リール11の各々は、その外周面に複数種類の図柄に記されている。そして、各回転リール11の図柄は、筐体２の外部から表示窓4Aを通して目視可能となっている。
【００２５】
上部パネル部４の上端縁部分には、正面形状が逆台形状に形成された演出用照明装置4Bが設けられている。この演出用照明装置4Bは、上部パネル部４の上端縁部分のほぼ中央に配置されている。演出用照明装置4Bの両端部は、上部パネル部４の角隅部分まで達することなく、その手前の位置で途切れたものとなっている。
また、上部パネル部４の両側縁には、上下方向に細長い帯状に形成された演出用照明装置4Cがそれぞれ設けられている。これらの演出用照明装置4Cの各々は、上部パネル部４の上端縁から当該上部パネル部４の側縁に沿って延び、表示窓4Aの上端縁よりも若干高い高さレベル位置まで達するものとなっている。
さらに、上部パネル部４の両方の側縁には、演出用照明装置4Cの下端に接続された別の演出用照明装置4Dがそれぞれ設けられている。これらの演出用照明装置4Dの各々は、演出用照明装置4Cと同様に、上下方向に細長い帯状に形成されたものであり、演出用照明装置4Cの下端から、上部パネル部４の側縁に沿って延び、操作卓７の直近まで達するものとなっている。
これらの演出用照明装置4B〜4Dの各々は、赤色のレンズの内部に配置された高輝度発光ダイオード等を光源を備え、遊技の進行に応じて、その光源の点灯又は点滅により、遊技における視覚的な演出効果を高めるものである。
【００２６】
表示窓4A及び演出用照明装置4Bの間には、遊技の演出用画像を表示する液晶表示装置4Eが設けられている。この液晶表示装置4Eは、動画を含む様々な画像を、遊技の進行に応じて表示するものである。
液晶表示装置4Eの両側には、遊技に係る効果音を発生するスピーカを備えた音声出力部4Fがそれぞれ設けられている。
【００２７】
（操作卓７）
操作卓７は、遊技における操作に必要な各種のスイッチ類が配置されたものである。
すなわち、操作卓７における図１中右端の部分には、前扉３を施錠を解除するための鍵が挿入される鍵穴7Aが設けられている。この鍵穴7Aの左斜め上方には、メダルを投入するためのメダル投入口7Bが開口されたメダル投入部7Cが設けられている。
メダル投入口7Bの左斜め下方には、三個の回転リール11のそれぞれを停止させる際に操作される三個のストップボタン7Dが設けられている。これら三個のストップボタン7Dのうち、左端に配置されているストップボタン7Dの左斜め上方には、一度の操作で最大枚数のメダルを賭けることができるマックスベットボタン7Eが設けられている。
また、左端のストップボタン7Dの左方であって、マックスベットボタン7Eの左斜め下方の位置には、三個の回転リール11を一斉に回転させる際に操作されるスタートレバー7Fが設けられている。このスタートレバー7Fの左斜め上方には、１回の操作で貯留されているメダルを１枚賭けることのできる、換言すると、メダルを１枚ずつ賭ける際に操作されるベットスイッチ7Gが設けられている。
さらに、ベットスイッチ7Gの左斜め下方には、精算時に貯留されているメダルを払い出させる精算ボタン7Hが設けられている。
【００２８】
（下部パネル部５及び受皿ユニット６）
下部パネル部５には、スロットマシン１のモデルタイプを表す象徴するキャラクター等が描かれたパネル5Aが設けられている。
受皿ユニット６には、メダルを貯留する前述の受皿部6Aに加えて、入賞時に受皿部6Aへ向かって払い出されるメダルを排出させるメダル払出口6Bと、遊技に係る効果音を発生するスピーカを備えた音声出力部6Cとが設けられている。
【００２９】
（筐体２）
次に、筐体２について簡単に説明する。
筐体２は、遊技の進行に必要な機能を有する複数種類の内部装置を内部に収納する箱状のものである。すなわち、筐体２は、図２に示すように、天面、底面、両方の側面、及び、背面の各々に配置される天板41、底板42、一対の側板43、及び、背板44を備えているとともに、前面が開口された六面体に形成されたものである。
また、筐体２には、一対の側板43の間に架け渡された中板45が設けられている。この中板45によって、筐体２の内部空間は、上下に仕切られている。
【００３０】
（筐体２に収納されている内部装置）
次いで、筐体２の内部に設けられている内部装置について簡単に説明する。
筐体２の内部には、図２に示すように、スロットマシン１の遊技動作を制御するマイクロコンピュータからなるＣＰＵを備えた主制御基板2A、三個の回転リール11が回転自在に支持するとともに、これらの回転リール11のそれぞれを駆動する図示しないモータを備えたリールユニット10、内部に多数のメダルを貯留させる容器部21を備えるとともに受皿部6Aに向かってメダルを排出するホッパユニット20、及び、これらの装置に電力を供給する電源装置９等が内部装置として設けられている。
このうち、リールユニット10は、それぞれが円筒状に形成された複数の回転リール11を有するものである。そして、これらの回転リール11の各外周面には、特に図示していないが、複数種類の図柄が記されている。
【００３１】
前扉３の裏側の面には、表側の面に配置された液晶表示装置4Eに対応して、液晶表示装置4E、演出用照明装置4B〜4D及び音声出力部4F, 6Cの動作を制御するサブ制御基板2Dが内部装置として設けられている。
また、前扉３の裏側の面には、表側の面に開口されたメダル投入口7Bに対応して、投入されたメダルの適否を判定するメダルセレクタ８が内部装置として設けられている。
【００３２】
ここで、筐体２の底板42の上には、下端部の周囲を囲むように形成された側壁状の部位を有するソケット31が設けられている。
このソケット31は、筒状の部材であり、図２中下方の端部が閉鎖され、上方の端部が開口されたものである。換言すると、ソケット31は、電源装置９が設置される閉鎖された下方の端部が固定位置とされ、且つ、電源装置９が開放される開口された上方の端部が開放位置とされ、固定位置及び開放位置の二位置間について電源装置９を案内する案内部を備えた移動案内手段である。
【００３３】
すなわち、ソケット31は、図３に示すように、筐体２の底板42の表面から突出するとともに、電源装置９の下端部の周囲を囲むように形成された側壁状の立ち上がり部32を有する凹状部33が前述の案内部として設けられたものである。
ここで、ソケット31における電源装置９の底面が凹状部33の底部に達している位置が電源装置９の設置される閉鎖された端部、換言すると、固定位置とされている。
また、ソケット31における電源装置９の底面が凹状部33の側壁である立ち上がり部32の頂部と同じ高さレベルとなっている位置が電源装置９が開放される開口された端部、換言すると、開放位置とされている。
なお、ソケット31の背面側に配置されている立ち上がり部32には、ソケット31の内部に冷却用の空気を導入する空気取り入れ口34が複数開口されている。
【００３４】
以上において、ソケット31の凹状部33は、固定位置及び開放位置の二位置間について電源装置９を案内するものとなっている。
このようなソケット31は、電源装置９の底面が凹状部33の底部に達している状態、すなわち、電源装置９の底面が固定位置にあるときには、電源装置９の水平方向及び下方向への移動を不可能とし、上方向のみの移動を許容し、凹状部33から電源装置９を離脱させないようになっている。
また、ソケット31は、電源装置９の底面が固定位置及び開放位置までの間の位置にあるときは、電源装置９の水平方向への移動を不可能とし、上下方向のみの移動を許容し、凹状部33から電源装置９が離脱不可能となっている。
さらに、ソケット31は、電源装置９の底面が開放位置を超えると電源装置９を凹状部33から離脱させるようになっている。
【００３５】
なお、電源装置９及び凹状部33の互いに対向する底面には、図３の如く、互いに凹凸嵌合しあうコネクタプラグ9A及びコネクタソケット35が設けられている。
このうち、コネクタソケット35は、図示しない複数のケーブルを介して、主制御基板2A、リールユニット10、ホッパユニット20、液晶表示装置4E及びサブ制御基板2D等の内部装置と電気的に接続されている。
電源装置９は、そのコネクタプラグ9Aを凹状部33のコネクタソケット35に嵌合させることにより、主制御基板2A、リールユニット10、ホッパユニット20、液晶表示装置4E及びサブ制御基板2D等の内部機器に電気的に接続され、これらの内部機器に安定して電力を供給することが可能となっている。
【００３６】
ところで、ホッパユニット20は、遊技媒体であるメダルを払い出す機能を有する内部装置であり、電源装置９に隣接する位置に配置されている。そして、このホッパユニット20が、電源装置９が固定位置から開放位置に向かって移動するのを阻止する移動阻止手段を兼用している。
【００３７】
すなわち、ホッパユニット20は、図４に示すように、筐体２の底板42の上面おいて、固定位置に位置する電源装置９の近傍に配置されている。
このようなホッパユニット20には、容器部21の上端縁における図４中右端部分から電源装置９側へ向かって略水平方向に突出する突起部22が設けられている。
この突起部22は、電源装置９における開放位置側に臨んだ部位である上面部分に当接する当接部となっている。
ホッパユニット20は、突起部22を電源装置９の上面部分に当接させることで、電源装置９が固定位置から開放位置に向かって移動するのを阻止するようになっている。
【００３８】
この際、ホッパユニット20は、筐体２の底板42上に設定された設置位置から筐体２の開口へ向かって摺動可能となっている。
すなわち、ホッパユニット20の底面の外周を形成する端縁のうち、電源装置９側の端縁には、電源装置９に近づく方向へ向かって略水平に突出するホッパ係止鍔部23が設けられている。また、ホッパユニット20の底面における、その反対側の端縁には、電源装置９から遠ざかる方向へ向かって略水平に突出するホッパ係止鍔部24が設けられている。
【００３９】
一方、筐体２の底板42には、ホッパユニット20を摺動可能に支持させるために、ホッパユニット20のホッパ係止鍔部23, 24に対応するとともに、略「Ｙ」字形の断面を有する一対のホッパ案内レール25, 26が敷設されている。
これらのホッパ案内レール25, 26は、図４中、底板42の上面において筐体２の前後方向に延びるものであり、設置位置に配置されたホッパユニット20の後端縁位置に一端が配置され、筐体２の開口側の端縁近傍位置に他端が配置されている。
また、一対のホッパ案内レール25, 26は、ホッパユニット20に設けられたホッパ係止鍔部23, 24がそれぞれ内部に差し込めるように、開口が横向きとなった溝27, 28を有するとともに、互いの溝27, 28が対向するように設置されたものである。
【００４０】
以上において、ホッパユニット20は、ホッパ係止鍔部23, 24がそれぞれホッパ案内レール25, 26の溝27, 28の内部に差し込まれ、上下方向には移動不可能となった状態で、ホッパ案内レール25, 26に沿って摺動可能とされている。
そして、ホッパユニット20は、その設置位置からホッパ案内レール25, 26に沿って移動され、筐体２の開口側に位置するホッパ案内レール25, 26の端部を超えると、筐体２の外側に取り出すことが可能となっている。
換言すると、移動阻止手段であるホッパユニット20は、突起部22が電源装置９の移動に干渉することのない電源装置９の通過領域の外側、すなわち、筐体２の外部に移動可能に形成されている。
【００４１】
そして、電源装置９は、ホッパユニット20の突起部22が当接している状態では、ソケット31の固定位置に固定されて移動不可能にされるようになっている。
一方、電源装置９は、ホッパユニット20の突起部22が、当該電源装置９の通過領域の外側に位置している状態では、ソケット31の固定位置からの移動が可能となり、ソケット31の凹状部33に形成された立ち上がり部32の内側面に沿って移動され、ソケット31の開放位置を超えると、凹状部33から離脱して筐体２から取り外せるように形成されている。
【００４２】
換言すると、電源装置９は、ホッパユニット20が電源装置９に隣接する設置位置に配置されている状態では、ホッパユニット20の突起部22に押さえ込まれ、固定位置に固定されて移動不可能にされるように形成されている。
一方、電源装置９は、ホッパユニット20が筐体２の外側へ取り出されている状態では、固定位置からの移動が可能となり、凹状部33から抜け出て筐体２から取り外せるように形成されている。
【００４３】
（電源装置９）
続いて、電源装置９について簡単に説明する。
電源装置９は、図５及び図６に示すように、主制御基板2A、リールユニット10、ホッパユニット20、液晶表示装置4E及びサブ制御基板2D等の内部機器に安定して電力を供給するための電源回路が形成された基板9Bと、この基板9Bを収納する収納ボックス50とを有するものである。
このうち、収納ボックス50は、図６の如く、前面が開口された箱状の本体51と、この本体51の開口を塞ぐとともに、後述する電源スイッチ52等が設けられた操作パネル部53と、この操作パネル部53を保護するために、当該操作パネル部53の前面を覆う保護カバー部54とを備えたものとなっている。
【００４４】
本体51は、ＡＢＳ等の比較的強靱な合成樹脂を直方体の箱状に成形したものである。
本体51の底面は、内部に冷却用の空気を導入するために、図６の如く、多数のスリット51A が開口された鎧戸状に形成されたものとなっている、
本体51の背面は、内部から冷却用の空気を取り出すために、図５の如く、多数の空気排出口51B が開口されたものとなっている、
ここにおいて、収納ボックス50の内部に収納された基板9Bは、ソケット31の背面に形成された空気取り入れ口34及びスリット51A を通じて内部に導入された冷却空気で冷却されるようになっている。そして、基板9Bで暖められた冷却空気は、本体51の背面に形成された空気排出口51B を通じて外部へ排出されるようになっている。
【００４５】
このような本体51の内部には、基板9Bに加えて、スロットマシン１の電源を入り切りするために操作される前述の電源スイッチ52、遊技の難易度を設定するために操作されるシリンダー錠装置55、スロットマシン１を所定の初期状態に戻すために操作される押しボタン式のリセットスイッチ56、及び、基板9B等を不正行為から保護する金属製の防護板57が設けられている。
【００４６】
基板9Bは、外部から供給される電力を所定の直流電圧に変換するとともに、負荷が変動しても出力電圧値の変動を最低限に抑制する安定化電源回路が形成されたものである。
電源スイッチ52は、操作によって内部の電気接点の状態が開状態及び閉状態の一方から他方へ移行するとともに、移行後の状態が次の操作が行われるまで維持されるシーソー型のタンブラースイッチである。
具体的に説明すると、電源スイッチ52は、それ自体の機構のみによって、電源切状態で操作されると電源切状態から電源入状態へ移行し、この電源入状態を次の操作が行われるまで維持する一方、電源入態で操作されると電源入状態から電源切状態へ移行し、この電源切状態を次の操作が行われるまで維持するスイッチである。
【００４７】
シリンダー錠装置55は、所定のキーを差し込むと可能となる回転操作で設定変更操作がなされるものであり、逆に言えば、所定のキーを差し込まなければ、何ら操作が行えないもものである。
さらに詳しく説明すると、シリンダー錠装置55は、遊技の難易度を設定するために所定のキー操作がなされる難易度設定装置である。
スロットマシン１は、シリンダー錠装置55に所定のキーを差し込んで回転操作を行うことで、所望の難易度への設定が行われ、この難易度設定操作の後、電源スイッチ52の操作がなされ、電源が一旦切られて再投入されることで、難易度設定操作が完了し、所望の難易度で遊技が行われるように形成されている。
【００４８】
リセットスイッチ56は、押圧操作されている時のみ、内部の電気接点の状態が開状態から閉状態へ移行するとともに、押圧操作が解除されると、内部の電気接点の状態が元の開状態に戻るように形成されたものである。
スロットマシン１は、内部に設けられたセンサ等によって不正行為の実行等の異常を検出するようになっており、異常を検出すると、遊技動作を停止し、リセットスイッチ56の押圧操作がなされるまで、遊技を再開しないようになっている。
【００４９】
防護板57は、帯状の金属板をＬ字形に折り曲げたものであり、保護カバー部54の操作パネル部53の裏側に沿った部分である前面部57A と、保護カバー部54の本体51の底面に沿った部分である底面部57B とを備えている。
このうち、前面部57A は、操作パネル部53とほぼ同じ大きさの面積を有するものであり、合成樹脂製の保護カバー部54を貫通可能な手動の穿孔器具から基板9Bを保護するものである。
この前面部57A には、電源スイッチ52、シリンダー錠装置55、及び、リセットスイッチ56のそれぞれの正面形状に応じた図示しない操作孔が形成され、対応する操作孔のそれぞれの裏側に電源スイッチ52、シリンダー錠装置55、及び、リセットスイッチ56が取り付けられている。
【００５０】
操作パネル部53は、ＡＢＳ等の比較的強靱な合成樹脂製から形成されるとともに、本体51の開口を塞ぐ蓋状に形成されたものである。
この操作パネル部53には、電源スイッチ52、シリンダー錠装置55、及び、リセットスイッチ56のそれぞれの正面形状に応じた操作孔53A,53B,53C が、防護板57側の図示しない操作孔に応じた位置に形成されている。
電源スイッチ52、シリンダー錠装置55、及び、リセットスイッチ56は、防護板57の裏側に配置されているが、操作パネル部53の操作孔53A,53B,53C 及び防護板57側の図示しない操作孔を通じて操作が行えるようになっている。
また、操作パネル部53の前面には、その前方を覆う保護カバー部54を係止するために、保護カバー部54側へ突出する係止爪53D が設けられている。
【００５１】
保護カバー部54は、ＡＢＳ等の比較的強靱な合成樹脂製から形成されているとともに、操作パネル部53に応じたサイズを有する扉部材である。
保護カバー部54の図６中左側の端縁は、図示しないヒンジを介して操作パネル部53に回動可能に支持されている。
このような保護カバー部54には、係止爪53D の先端部分が内部に挿通される被係止孔が設けられている。
保護カバー部54は、その被係止孔に操作パネル部53側の係止爪53D が挿通され、当該被係止孔の周縁部に挿通された係止爪53D の爪が係止されると、操作パネル部53を覆う閉鎖位置に固定されるようになっている。
一方、保護カバー部54は、被係止孔の周縁部から係止爪53D の爪が外れて係止状態が解除されると、操作パネル部53を解放する全開位置まで移動可能となっている。
【００５２】
（第１実施形態の効果）
前述のような第１実施形態によれば、次のような効果が得られる。
すなわち、電源装置９の下端部を嵌合させる凹状部33を備えたソケット31を筐体２の底板42の上面に設け、電源装置９の底面が凹状部33の底部に達している位置を電源装置９の固定位置とするとともに、電源装置９の底面が凹状部33の側壁である立ち上がり部32の頂部と同じ高さレベルとなっている位置を電源装置９の開放位置とすることことで、凹状部33を備えたソケット31によって、固定位置及び開放位置の二位置間について電源装置９を案内する案内部を備えた移動案内手段が形成されるようにしたので、底面が凹状部33の底部に達する固定位置に電源装置９を配置すると、電源装置９は水平方向への移動が不可能となる一方で、電源装置９を凹状部33から上方へ移動させて電源装置９の下端部が開放位置を超えると、電源装置９は凹状部33から離脱して自由に移動可能となる。
そして、電源装置９に近接する内部装置であるホッパユニット20に突起部22を設け、、突起部22が電源装置９の上面に当接している状態では、突起部22が電源装置９を固定位置から移動することを阻止するようにしたので、電源装置９を固定位置に配置し、その後に、ホッパユニット20を所定位置に設置すれば、電源装置９の移動が不可能となり、これにより、電源装置９を固定することができる。
換言すると、ホッパユニット20の突起部22を当接させることで、固定位置に電源装置９を固定することができるので、ネジ等の接合具を利用しなくても、電源装置９の固定を行うことができるようになり、電源装置９の取り付け作業を容易にすることができる。
一方、ホッパユニット20を筐体２から取り外してしまえば、ホッパユニット20の突起部22は、電源装置９の移動に干渉することのない位置へ移動するので、筐体２からホッパユニット20を取り外してしまえば、電源装置９をソケットの凹状部から容易に抜き取ることができ、これにより、電源装置９の筐体２からの取り外しが容易となり、電源装置９の取り外し作業を容易にすることができる。
【００５３】
ここで、ホッパユニット20は、遊技者が筐体２から取り外せば、誰からも不審に思われるが、遊技場の係員が筐体２から取り外しても、何ら不審な点はなく、遊技場の係員によれば筐体２からの取り外しが容易に行える。
そして、ホッパユニット20が取り外されれば、電源装置９も筐体２から容易に取り外すことができるので、電源装置９は、遊技場の係員によれば、筐体２から容易に取り外せるようになり、従って、電源装置９の取り付け作業を容易にすることができる。
一方、遊技者が筐体２からホッパユニット20を取り外す行為は目立つので、ホッパユニット20を筐体２から取り外すまでに至る可能性は小さく、電源装置９を筐体２から取り外す可能性も小さくなり、これにより、不正行為の防止が図れる。
万が一、ホッパユニット20を筐体２から取り外す不正行為が行われれば、当該不正行為は目立つので、遊技場の係員によって直ちに発見され、発見後、速やかに係員を現場に到着させることで、当該不正行為が完遂するのを防止することができ、この点から、不正行為の防止を図ることができる。
以上のように、係員による適正な操作では、筐体２から電源装置９を容易に取り外すことができるとともに、電源装置９を筐体２に容易に取り付けることができる一方、係員以外の不適正な操作では、筐体２から電源装置９を取り外すことできなくなるので、電源装置９の取り付け作業及び取り外し作業を容易に行えるようにしても、不正行為の防止を図ることができる。
【００５４】
また、電源装置９の下端部を嵌合させる凹状部33を備えたソケット31を設け、ソケット31の凹状部33に上方から電源装置９を差し込み、電源装置９の底面を凹状部33の底部に到達させれば、電源装置９は、それ以上下方へ移動できなくなるとともに、水平方向に移動することもできなくなる一方、凹状部33から引き抜けば、電源装置９は、凹状部33から開放され、自由な移動が可能となる。
このため、電源装置９の底面が凹状部33の底部に到達した位置を固定位置とすることがきるとともに、電源装置９の底面が凹状部33の頂部に達した高さレベルを開放位置とすることができ、従って、簡単な構造の凹状部33のみで、固定位置及び開放位置の二位置間について電源装置９を案内する案内部を形成することができ、案内部を備えた構成する移動案内手段を容易に実現することができる。
ここで、正面から見てホッパユニット20の底面の両側にホッパ係止鍔部23, 24を設けるとともに、互いに向き合うように開口された溝27を有する一対のホッパ案内レール25, 26を筐体２の底板42に敷設し、これらのホッパ案内レール25, 26の溝27の内部に、ホッパユニット20のホッパ係止鍔部23, 24を係止させて、ホッパユニット20をホッパ案内レール25, 26に摺動可能に支持させたので、ホッパユニット20は、ホッパ案内レール25, 26に沿った移動は可能となるが、上下方向の移動は不可能となる。
従って、ホッパユニット20をホッパ案内レール25, 26に沿って水平移動させ、これにより、電源装置９の隣りに配置すれば、ホッパユニット20の突起部22が電源装置９の直上に配置され、これにより、突起部22が電源装置９の上面を押さえ込んで、電源装置９の移動を阻止するようににあるので、ホッパユニット20の構造等を大幅に変更することなく、ホッパユニット20で移動阻止手段を兼用させることができる。
このため、ホッパユニット20に移動阻止手段を兼用させるにあたり、ホッパユニット20に対する改造や設計変更が必要最低限で済むので、ホッパユニット20で移動阻止手段を兼用させることを容易に実現することができる。
【００５５】
［第２実施形態］
図７には、本発明の第２実施形態の要部が示されている。なお、以下の説明において、前記第１実施形態と同様の装置や部位等には、同一符号を付し、その説明を省略又は簡略する。
本第２実施形態は、前記第１実施形態における移動阻止手段としてのホッパユニット20をリールユニット10に置き換えたものである。
すなわち、筐体２には、前述したように、その内部空間を上下に仕切る中板45が設けられている。この中板45の上には、図７に示すように、内部装置としてのリールユニット10が載置されている。
【００５６】
ここで、筐体２の底板42の上に設けられているソケット31A は、固定位置及び開放位置の二位置間について電源装置９を案内する移動案内手段である。このソケット31A の高さ寸法は、固定位置に配置された電源装置９の上面が中板45の下面近傍に達するように設定されている。
これにより、電源装置９は、リールユニット10の下に重なるように近接して配置されている。換言すると、リールユニット10は、電源装置９の上に重なるように近接して配置されている。
【００５７】
そして、中板45には、電源装置９を上下に挿通させる挿通孔46と、リールユニット10に設けられている後述の脚部13を収納する脚収納孔47とが設けられている。
このうち、挿通孔46は、下方のソケット31A の凹状部33に応じて、図７中、中板45の左端縁近傍に開口されている。
脚収納孔47は、挿通孔46よりも内径が小さいものであり、挿通孔46の設置位置とは反対側となる、図７中、中板45の右端縁近傍に開口されている。
【００５８】
リールユニット10の下面には、中板45に設けられている挿通孔46及び脚収納孔47のそれぞれに対応するとともに下方へ突出した突起部12及び前述の脚部13が設けられている。
このうち、突起部12は、リールユニット10の下方に配置された電源装置９に向かって突出する当接部である。
更に詳しく説明すると、突起部12は、中板45に設けられている挿通孔46の内径に応じた外径を有し、リールユニット10が中板45の上に載置されると、挿通孔46の内部に挿通されて、下方に配置された電源装置９の上面に当接部するものとなっている。
脚部13は、中板45の脚収納孔47の内径に応じた外径を有し、リールユニット10が中板45の上に載置されると、脚収納孔47の内部に収納されるようになっている。
【００５９】
この際、リールユニット10側の突起部12及び脚部13は、中板45側の挿通孔46及び脚収納孔47の各々への挿入がスムースに行えるように、挿通孔46及び脚収納孔47の内径に対して最大限の大きさの外径が設定されている。
これにより、リールユニット10は、中板45の上に載置された状態、されに詳しく言えば、突起部12及び脚部13がそれぞれ挿通孔46及び脚収納孔47の内部に収納された状態から略垂直に上方へ上昇させることで、中板45から取り外せるようになっている。
また、中板45から取り外されたリールユニット10は、中板45の上方に配置するとともに、突起部12及び脚部13の平面位置をそれぞれ挿通孔46及び脚収納孔47に合わせた状態から略垂直に下降することで、突起部12及び脚部13がそれぞれ挿通孔46及び脚収納孔47の内部に収納され、これにより、中板45の上に載置されるようになっている。
【００６０】
そして、中板45には、図７中前後方向に延びるとともに、リールユニット10側の突起部12及び脚部13のそれぞれを係止するとともに、丸棒状に形成されたラッチ45A, 45Bが摺動可能に設けられている。
これらのラッチ45A, 45Bは、突起部12及び脚部13を係止している状態において、図７中、手前に引く操作が行われると、突起部12及び脚部13との係止が解除され、この突起部12及び脚部13との係止解除状態から、図７中、前方へ押す操作が行われると、突起部12及び脚部13を係止するようになっている。
【００６１】
この際、前扉３が閉じた状態では、ラッチ45A, 45Bの端部が前扉３の裏面に当接するようになっている。これにより、前扉３の閉鎖状態では、ラッチ45A, 45Bを手前に引くことが不可能となり、リールユニット10は、中板45から取り外せないようになっている。
一方、前扉３が開いた状態では、ラッチ45A, 45Bを手前に引くことが可能となり、リールユニット10は、中板45から容易に取り外せるようになっている。
【００６２】
以上において、電源装置９は、リールユニット10が当該電源装置９の上方の隣接した位置に配置されている状態では、その上面にリールユニット10の突起部12が当接し、これにより、固定位置に固定されて移動不可能となっている。
一方、電源装置９は、リールユニット10が筐体２の外側へ取り出されている状態では、筐体２から容易に取り外せるようになっている。
すなわち、電源装置９は、上方からリールユニット10がなくなると、リールユニット10の突起部12による当接が解除され、ソケット31の固定位置から上方への移動が可能となり、上方へ移動されてソケット31の開放位置を超えると、凹状部33からから抜け出て筐体２から取り外せるようになっている。
このような本第２実施形態によっても、前記第１実施形態と同様の作用、効果を奏することができる。
【００６３】
なお、図７では、主制御基板2A、リールユニット10、ホッパユニット20、液晶表示装置4E及びサブ制御基板2D等の内部機器との電気接続を行うケーブルの端部に設けられるコネクタソケット35を、ソケット31A 側の凹状部33の底に設け、このコネクタソケット35と嵌合するコネクタプラグ9Aを電源装置９の下面に設け、電源装置９の下方でコネクタプラグ9Aとコネクタソケット35とを嵌合させるようにしたが、本第２実施形態では、電源装置９の上方でコネクタプラグとコネクタソケットとを嵌合させてもよい。
すなわち、コネクタプラグを電源装置９の上面に設け、この電源装置９側のコネクタプラグと嵌合するコネクタソケットを、ケーブルの移動自在な自由端に設け、電源装置９の上方でコネクタプラグとコネクタソケットと嵌合させる。
この際、リールユニット10の突起部12を筒状にし、電源装置９の上方で嵌合しているコネクタプラグとコネクタソケットとを筒状に形成した突起部12の内部に隠蔽すれば、突起部12によって、コネクタプラグとコネクタソケットとの電気接続部を不正行為から保護することができる。
【００６４】
［第３実施形態］
図８には、本発明の第３実施形態の要部が示されている。本第３実施形態は、前記第１実施形態における全体の移動に伴って当接部である突起部22を電源装置９の通過領域の外側に移動するホッパユニット20を、突起部61のみが電源装置9Cの通過領域の外側に移動する難易度設定装置60としたものである。
【００６５】
図８において、電源装置9Cは、前記第１実施形態における電源装置９から遊技の難易度を設定するための装置であるシリンダー錠装置55を省略したものである。
難易度設定装置60は、遊技の難易度を設定するために所定のキー操作がなされるものであり、電源装置9Cの上方に固定状態となるように、中板45の下面に設置されている。
ここで、難易度設定装置60は、難易度の設定操作が行われると、所定の電気信号を送出するようになっている。この電気信号は、スロットマシン１の動作の制御を行う主制御基板2A及びサブ制御基板2Dのうち、主制御基板2Aが受信するようになっている。そして、主制御基板2Aは、難易度設定装置60から受信した電気信号に基づいて難易度の設定処理を所定の時期に実行するようになっている。
【００６６】
難易度設定装置60には、その内部に前記第１実施形態における電源装置９に設けられているシリンダー錠装置55と同等の機能を備えた図示しないシリンダー錠装置が設けられている。この難易度設定装置60は、前面に設けられた鍵穴62に所定のキーを差し込んで所定の回動操作を行うことで、遊技の難易度を設定が行えるようになっている。
主制御基板2Aは、難易度設定装置60の鍵穴62に所定のキーが差し込まれて所定の回動操作が行われた後、電源装置9Cの電源スイッチ52が操作されて、スロットマシン１の電源が一旦着られて再投入されると、遊技の難易度の変更処理を実行するようになっている。そして、主制御基板2Aは、難易度を変更処理後、新た難易度で遊技の進行処理を行うようになっている。
【００６７】
また、難易度設定装置60には、図８に示すように、電源装置9Cの上面に当接する当接位置α及び電源装置9Cの上面から離間した非当接位置βの二位置間について回動可能な突起部61が設けられている。
難易度設定装置60の突起部61は、通常時、換言すると、難易度を設定する時以外は、当接位置αに配置され、難易度を設定する時は、難易度設定装置60の鍵穴62に差し込まれた所定のキーの操作によって、遊技の難易度を設定する操作がなされると、この操作に伴って非当接位置βへ移動し、操作が完了すると当接位置αに戻されるようになっている。
このような難易度設定装置60は、電源装置9Cに上方に近接して設けられるとともに、遊技の難易度を設定する機能を有するとともに、電源装置9Cの移動を阻止する移動阻止手段を兼用する内部装置となっている。
【００６８】
すなわち、筐体２の底板42の上面には、前記第１実施形態と同様に、凹状部33を備えたソケット31B が設けられている。ソケット31B の凹状部33には、上方から電源装置9Cが差し込まれるようになっている。
そして、凹状部33に差し込まれた電源装置9Cは、その底面が凹状部33の底部に到達すると、それ以上下方へ移動できなくなるとともに、水平方向に移動することもできなくなる一方、凹状部33から引き抜けば、凹状部33から開放され、自由な移動が可能となる。
【００６９】
ここで、難易度設定装置60は、通常時は、突起部61が当接位置αに配置されるとともに、突起部61を電源装置9Cの上面に当接させるようになっている。そして、この状態の難易度設定装置60は、電源装置9Cの上面に当接させた突起部61で、凹状部33に差し込まれた電源装置9Cを押さえ込んで凹状部33から抜けないようにするものとなっている。
一方、難易度設定装置60は、難易度を設定する時、又は、電源装置9Cを取り外す時は、突起部61が非当接位置βに配置されるようになっている。
電源装置9Cは、前記第１実施形態における電源装置９と同様に、ソケット31B の固定位置及び開放位置の二位置間について移動可能となっている。換言すると、電源装置9Cは、固定位置及び開放位置の二位置間に位置する通過領域の内側を移動するようになっている。そして、非当接位置βに配置された突起部61は、電源装置9Cの通過領域の外側に位置している。
このため、難易度設定装置60は、突起部61が非当接位置βに配置されると、ソケット31B の固定位置に配置された電源装置9Cが固定位置から開放位置へ移動するのを許容するように形成されている。
【００７０】
換言すると、電源装置9Cは、難易度設定装置60の突起部61が当接している状態では、ソケット31B の固定位置に固定されて移動不可能にされる一方、所定のキー操作によって突起部61が非当接位置βへ移動し、突起部61が電源装置9Cの通過領域の外側に位置している状態になると、固定位置からの移動が可能となる。
電源装置9Cは、固定位置からの移動が可能となった状態になると、ソケット31B の凹状部33の立ち上がり部32に沿って移動可能となり、立ち上がり部32に沿って移動されて、ソケット31B の開放位置を超えると、凹状部33から離脱して筐体２から取り外せるように形成されている。
【００７１】
この際、難易度設定装置60には、その突起部61が電源装置9Cの上面に当接しているか否かを検出する図示しない当接検出回路が設けられている。
すなわち、電源装置9Cの上面には、特に図示しないが、難易度設定装置60の突起部61を当接させる被当接部が形成されている。そして、難易度設定装置60の突起部61及び電源装置9Cの被当接部は、金属で形成されている。
難易度設定装置60の当接検出回路は、電源装置9Cの被当接部及び難易度設定装置60の突起部61が当接しているか否かを検出するために、これらの間に所定のチェック電圧を印加するとともに、電源装置9Cの被当接部及び難易度設定装置60の一方から他方へチェック電流が導通したか否かを判定する図示しない導通判定器を備えている。
【００７２】
遊技動作を制御する主制御基板2Aは、難易度設定装置60に設けられた導通判定器の判定結果に基づいて、遊技の難易度を不正に設定変更する操作がなされたか否かを判定する不正判定処理を行う機能を備えたものとなっている。
具体的に説明すると、主制御基板2Aは、遊技の難易度の設定変更操作がなされた際に、難易度設定装置60に設けられた導通判定器によって、電源装置9Cの被当接部及び難易度設定装置60の一方から他方へチェック電流が導通していたと判定されていれば、難易度の設定変更操作が不正に行われたと判定するものとなっている。
【００７３】
以下に、主制御基板2Aによって行われる不正判定処理について、図９を参照しながら、更に詳しく説明する。
本不正判定処理は、主制御基板2Aによって行われる遊技制御処理の一部として実行されるものであり、スロットマシン１の電源投入中においては、所定のタイミングで何度も繰り返し行われるようになっている。
また、本不正判定処理は、難易度設定装置60に対して行われた不正行為によって難易度が不正に設定変更されたか否かの判定を目的とするものである。
【００７４】
シリンダー錠装置55に所定のキーを差し込んで回転操作を行うことで、所望の難易度への設定が行われ、この難易度設定操作の後、電源スイッチ52の操作がなされ、電源が一旦切られて再投入されることで、難易度設定操作が完了し、所望の難易度で遊技が行われるように形成されている。
ここで、遊技の難易度を変更する設定変更の操作手順について簡単に説明する。
難易度を変更する設定変更の操作を行うにあたり、まず、スロットマシン１の前扉３を開け、難易度設定装置60の鍵穴62に所定のキーを差し込んで回転操作を行うことで、所望の難易度への設定操作を行う。
このキーの回転操作を終えたら、次に、電源装置9Cの電源スイッチ52を操作し、スロットマシン１の電源を一旦切った後、再度、電源装置9Cの電源スイッチ52を操作し、スロットマシン１の電源を入れると、主制御基板2Aによって難易度設定処理が実行され、スロットマシン１の遊技が変更後の難易度で進行するようになる
【００７５】
このような不正判定処理は、図９に示すように、まず、ステップＳ1000において、難易度の設定キー操作が行われたか否かが判定される。具体的に説明すると、ステップＳ1000では、難易度の設定操作が行われた際に難易度設定装置60から出力される所定の電気信号を主制御基板2Aが受信したか否かが判定される。
このステップＳ1000で、難易度の設定キー操作が行われたと判定されなかった場合、不正行為が行われていないと見なせるので、本不正判定処理は終了となる。
一方、ステップＳ1000で、難易度の設定キー操作が行われたと判定された場合、次のステップＳ1100へ進む。
【００７６】
ステップＳ1100では、電源装置9Cの被当接部及び難易度設定装置60の突起部61の間に、所定のチェック電圧を印加するチェック電圧印加処理が行われる。チェック電圧印加処理が開始されたら次のステップＳ1200へ進む。
【００７７】
ステップＳ1200では、ステップＳ1100で開始されたチェック電圧の印加に起因して、電源装置9Cの被当接部及び難易度設定装置60の突起部61の一方から他方へチェック電流が導通したか否かを判定する。
このステップＳ1200で、チェック電流が導通したと判定されなかった場合、不正行為が行われていないと見なせるので、本不正判定処理は終了となる。
一方、ステップＳ1200で、チェック電流が導通したと判定された場合、不正行為が行われていると見なせるので、次のステップＳ1300へ進む。
【００７８】
ステップＳ1300では、遊技動作を停止するとともに、不正行為が行われたことを報知する警報音を出力する等の不正行為に対抗する動作を行う不正エラー処理が行われる。
なお、この不正エラー処理は、電源装置9Cのリセットスイッチ56が押圧操作されるまで継続され、リセットスイッチ56が押圧操作されると、本不正判定処理は終了となる。
【００７９】
このような本第３実施形態によっても、前記第１実施形態と同様の作用、効果を奏することができる。
すなわち、移動阻止手段として、遊技の難易度を設定するために所定のキー操作がなされる難易度設定装置60を採用し、この難易度設定装置60を電源装置9Cの上方に固定状態で設置し、且つ、この難易度設定装置60に所定のキー操作で回動可能な突起部61を設け、さらに、この突起部61の回動範囲として、固定位置に位置する電源装置9Cの上部に当接する当接位置α、及び、電源装置9Cの通過領域の外側となる非当接位置βの二位置間を設定したので、電源装置9Cを凹状部33の内部に嵌め込んだ後、難易度設定装置60の所定のキー操作を行い、非当接位置βから当接位置αへ回動させることで、難易度設定装置60の突起部61を電源装置9Cの上面に当接させると、電源装置9Cが上方から押さえ込まれて固定位置に固定される。従って、電源装置9Cを固定する際に、ネジ止め等の面倒な作業が不要となり、これにより、電源装置9Cの取り付け作業を容易にすることができる。
一方、難易度設定装置60に対して所定のキー操作を行い、難易度設定装置60の突起部61を当接位置αから非当接位置βへ回動させると、突起部61が電源装置9Cの上面から離れて、電源装置9Cの上面が開放されるので、電源装置9Cを凹状部33から抜き取ることができ、要するに、難易度設定装置60のキー操作で、電源装置9Cが筐体２から容易に取り外せるようになり、電源装置9Cの取り付け作業だけでなく、電源装置9Cの取り外し作業も容易にすることができる。
【００８０】
ここで、難易度設定装置60のキー操作は、所定のキーがなければ行えないので、係員以外の者が、電源装置9Cを筐体２から取り外すことはできず、これにより、不正改造された電源装置に交換する等の不正行為を防止することができる。
【００８１】
また、電源装置9Cの被当接部及び難易度設定装置60の一方から他方へチェック電流が導通したか否かに基づいて、その突起部61が電源装置9Cの上面に当接しているか否かを検出する当接検出回路を難易度設定装置60に設け、突起部61が電源装置9Cの上面に当接している状態で難易度の設定が変更された際に不正エラー処理を行うようにしたので、難易度の設定が不正に変更された際には、不正行為のあったことを知らせる警報をスロットマシン１から出力させるとともに、スロットマシン１の遊技を停止させるので、不正行為に起因するメダルの払い出しを未然に防止でき、この不正行為によって遊技場に損害が発生することも未然に防止することができる。
【００８２】
なお、本発明は、前記実施形態に限定されるものではなく、本発明の目的を達成できる範囲における変形及び改良などをも含むものである。
例えば、移動案内手段としては、電源装置９の下端部を嵌合させる凹状部33を有するソケット31等の電源装置を上下方向に移動させるものに限らず、筐体２の底板42の上面に沿って電源装置を水平方向に移動させるものでもよい。
【００８３】
図１０には、電源装置を水平方向に移動させる移動案内手段の一例が示されている。以下に、この移動案内手段について簡単に説明する。
すなわち、筐体２の底板42の上面における電源装置9Dの設置位置には、図１０に示すように、平板状の基台9Eが設けられている。
この基台9Eの上面には、ホッパユニット20を摺動させている一対のホッパ案内レール25, 26と同様の構成とされるとともに、これらのホッパ案内レール25, 26と交差する方向に延びる一対の案内レール36, 37が敷設されている。なお、図１０には、一対の案内レール36, 37のうち、電源装置9Dの前面側に配置されている案内レール36のみが示され、電源装置9Dの背面側に配置されている案内レール37は、図示が省略されている。
【００８４】
これらの案内レール36, 37は、電源装置9Dを水平方向に摺動可能に支持する移動案内手段となっている。また、案内レール36, 37に設けられている図示しない溝は、移動案内手段に備えられている案内部となっている。
ここで、案内レール36, 37の図１０中における左端部は、電源装置9Dを固定する固定位置となっており、電源装置9Dは、固定位置よりから左側への摺動が不可能となっているとともに、上下方向の移動も不可能となっている。
また、電源装置9Dの図１０中における左側の側面には、内部装置との電気的接続をなすためのコネクタプラグ9Fが設けられ、この側面と対向する側板43の内面には、コネクタプラグ9Fと嵌合するコネクタソケット35A が設けられている。
そして、案内レール36, 37の右端部側から左端部へ向かって電源装置9Dを摺動させ、電源装置9Dが固定位置に到達すると、電源装置9Dのコネクタプラグ9Fと側板43のコネクタプラグ9Fとが嵌合するようになっている。
【００８５】
一方、案内レール36, 37の図１０中における右端部は、電源装置9Dを開放する開放位置となっており、電源装置9Dは、開放位置を超えると、案内レール36, 37から開放され、自由に移動できるようになっている。
ホッパユニット20には、固定位置に配置された電源装置9Dに向かって水平方向に突出する突起部22A が設けられている。
これにより、ホッパユニット20が筐体２の内部に配置されている状態では、ホッパユニット20の突起部22A が固定位置に配置された電源装置9Dに当接して電源装置9Dが固定位置から開放位置へ移動するのを阻止するようになっている。
ホッパユニット20が筐体２の外部へ取り外された状態にすると、電源装置9Dは、もはやホッパユニット20の突起部22A が当接していないので、固定位置から開放位置へ移動可能となり、筐体２の外部へ容易に取り外せるようになっている。
このような電源装置9Dを水平方向に摺動可能に支持する移動案内手段を採用しても、前記第１実施形態と同様の作用・効果を奏することができる。
【００８６】
また、遊技機としては、電源装置を筐体の内側に収納するものに限らず、筐体の外側の表面に凹部を形成し、この凹部の内部に電源装置を収納するものでもよい。
図１１には、筐体の外側の表面に形成された凹部内に電源装置を収納する遊技機一例が示されている。以下に、この遊技機について簡単に説明する。
【００８７】
すなわち、図１１において、複数のスロットマシン１は、遊技場の島設備70に左右に並べられて設置されている。
なお、島設備70には、複数の凹みが左右に並べられた形成されており、これらの凹みの各々がスロットマシン１を内部に設置するための収納部71となっている。
各スロットマシン１の筐体２の外側の表面には、電源装置9Gを内部に収納する凹部72が設けられている。
このような電源装置9Gは、凹部72の内部に収納された状態でスロットマシン１が遊技場の島設備70の収納部71内に設置されると、スロットマシン１から取り外し不可能となるように形成されている。
【００８８】
このようなスロットマシン１を遊技機として採用しても、前記第１実施形態と同様の作用・効果を奏することができる。
すなわち、筐体２の外側の表面に形成した凹部72に電源装置9Gを収納し、この状態でスロットマシン１を遊技場の島設備70に形成された収納部71の内部に設置すると、電源装置9Gがスロットマシン１の凹部72から取り外し不可能となるように形成したので、スロットマシン１を遊技場の島設備70から取り外した状態にしておけば、スロットマシン１に電源装置9Gを容易に取り付けることができ、且つ、その及び取り外しも容易に行え、従って、電源装置9Gの取り付け作業及び取り外し作業を容易にすることができる。
ここで、スロットマシン１を島設備70から取り外す行為は目立つが、遊技場の係員が行う場合は何ら不審な点はない一方、当該行為を遊技者が行えば、誰が見ても不審に思うこととなる。
このため、係員以外の者が、電源装置9Gを取り外すために、スロットマシン１を島設備70から取り外そうとする行為は目立つので、遊技場を監視している係員によって直ちに発見されるので、電源装置9Gが筐体２から取り外される前に、係員を速やかに現場に向かわせることにより、不正改造された電源装置に交換する等の不正行為を未然に防止することができる。
【００８９】
さらに、遊技機としては、スロットマシンに限らず、遊技場に設置される弾球遊技機や、ゲームセンター等に設置されるテレビゲーム等でもよく、本発明は、電源装置に対する不正行為が行われるおそれのある遊技機全般に適用することができる。
【符号の説明】
【００９０】
1    遊技機としてのスロットマシン
2    筐体
9,9C,9D,9G   電源装置
10    移動阻止手段としてのリールユニット
11    回転リール
12,22,22A,61   当接部としての突起部
20    移動阻止手段としてのホッパユニット
23, 24    ホッパ係止鍔部
25, 26    ホッパ案内レール
27, 28    溝
31,31A,31B   移動案内手段としてのソケット
33    案内部としての凹状部
36    移動案内手段としての案内レール
41    天板
42    底板
43    側板
45    中板
46    挿通孔
60    移動阻止手段としての難易度設定装置
72    凹部
70    島設備
【図１】
0005473070.tif 000002
【図２】
0005473070.tif 000003
【図３】
0005473070.tif 000004
【図４】
0005473070.tif 000005
【図５】
0005473070.tif 000006
【図６】
0005473070.tif 000007
【図７】
0005473070.tif 000008
【図８】
0005473070.tif 000009
【図９】
0005473070.tif 000010
【図１０】
0005473070.tif 000011
【図１１】
0005473070.tif 000012